(57)【要約】【課題】周囲各方面に順次光を放射する回転表示灯であって、従来の同種の回転表示灯と比べると小型にコンパクトに安価に製作できる回転表示灯を提供する。【解決手段】発光ダイオード１１が配置された基板１と、基板１の発光ダイオード１１の上方に配置された透明回転板２と、基板１の下方に配置され、モータ回転軸３２が透明回転板２の回転中心軸部２１に接続されたモータ３と、透明回転板２に支持され、発光ダイオード１１から透明回転板２を上方へ通過してくる光を横方向へ反射する光反射部材４とを備えており、モータ３は発光ダイオード基板１が静止している状態で透明回転板２を光反射部材４とともに回転駆動できる回転表示灯Ａ。【選択図】    図１
2008107475.tif 000002
【特許請求の範囲】
【請求項１】
上面側に発光ダイオードが配置され、中央部に上下方向の貫通孔が形成された発光ダイオード基板と、
該基板の発光ダイオードの上方に配置され、該基板の前記貫通孔に対応する部位に回転中心部を有する透明回転板と、
モータ回転軸が前記基板の前記貫通孔に対応する位置をとるようにモータ本体が前記基板の下方に配置され、該モータ回転軸が前記透明回転板の回転中心部に接続されたモータと、
前記透明回転板に支持され、前記発光ダイオードから該透明回転板を上方へ通過してくる光を横方向へ反射する光反射部材とを備えており、
前記互いに接続された前記透明回転板の回転中心部及び前記モータ回転軸からなる部分は前記基板の前記貫通孔を該基板に対し回転可能に通っており、前記モータは前記発光ダイオード基板が静止している状態で前記透明回転板を前記光反射部材とともに回転駆動できることを特徴とする回転表示灯。
【請求項２】
発光ダイオード制御信号が入力される発光ダイオード制御部及び前記発光ダイオードの駆動回路を含んでおり、該発光ダイオード制御部は、前記発光ダイオードが該制御部に入力される発光ダイオード制御信号に基づいた動作状態を示すように前記発光ダイオード駆動回路を制御するものであり、該発光ダイオード動作状態から前記発光ダイオード制御信号発信元の状態を把握できる請求項１記載の回転表示灯。
【請求項３】
モータ制御信号が入力されるモータ制御部及び前記モータの駆動回路を含んでおり、該モータ制御部は、前記光反射部材が該モータ制御信号に基づいた回転動作状態を示すように前記モータ駆動回路を制御するものであり、該光反射部材の回転動作状態から前記モータ制御信号発信元の状態を把握できる請求項１又は２記載の回転表示灯。
【請求項４】
前記モータはスッピングモータである請求項１、２又は３記載の回転表示灯。
【請求項５】
前記モータは変速機付きモータである請求項１、２又は３記載の回転表示灯。
【発明の詳細な説明】
【技術分野】
【０００１】
本発明は、各種分野において使用できる表示灯、特に周囲各方面へ順次光を放射できる回転表示灯に関する。
【背景技術】
【０００２】
従来から利用されてきた周囲各方面へ順次光を放射できる回転表示灯は基本的には、定位置に配置した光源の周囲を反射鏡のような光反射部材が回転することで、周囲各方面に光を放射するものであり、このような回転表示灯は従来から各種分野において使用されてきた。
【０００３】
例えば、駐車場における車の出庫、入庫を知らせるため、道路において道路工事等を報知したり警告したりするため、緊急車両による通行報知や警告のため、工場等において各種の報知、警告等を行うため、パチンコ機、パチスロ機等の遊技機を設置した遊技場において各種の報知を行うため、さらには広告や各種店舗における電飾のためなどに利用されてきた。
【０００４】
このような回転表示灯は、周囲各方面へ順次光を放射するために、光反射部材を支持した支持部材を光源を静止配置としたまま回転させる機構が必要である。
該機構を含む回転表示灯の例を図５に示す。
【０００５】
図５に示す回転表示灯Ｂは、ケース８及びその内側に架設した支持板７１を含んでいる。支持板７１の中央部に光源電球Ｌを含む光源部７２が立設されている。また、支持板７１の下方に、支持板７１の中央部より外側へずれた位置でモータＭの本体ｍ１が吊り下げ固定されている。
【０００６】
光源部７２には大歯車Ｇ１が外嵌されており、歯車Ｇ１は光源部７２の周囲を回転可能に支持板７１に支持されている。歯車Ｇ１はその上側に回転板７３を支持している。回転板７３はその中央に貫通孔７３１を有しており、前記光源電球Ｌはその孔７３１から回転板７３上方へ突出している。また、回転板７３の周縁部の一部に光反射部材７４が立設されている。
【０００７】
モータＭの回転軸ｍ２は支持板７１を貫通してその上方へ突出し、駆動ギアＧ２を支持している。この駆動ギアＧ２は支持板７１に回転可能に支持された２段ギアＧ３、Ｇ４のうち下段ギアＧ３にかみ合っており、上段ギアＧ４は前記の大歯車Ｇ１にかみ合っている。
【０００８】
ケース８には透光性のカバー８１が被着されている。カバー８１は電球Ｌ、光反射部材７４等を覆っている。
【０００９】
この回転表示灯Ｂによると、モータＭの回転力を歯車列Ｇ２、Ｇ３、Ｇ４及びＧ１を介して回転板７３に伝えて該回転板７１を回転させ、それにより光反射部材７４を電球Ｌの周囲に回転させ、電球Ｌからの光を横方向に反射し、周囲各方面へ順次光を放射することができる。
【００１０】
このようなタイプの回転表示灯は例えば技術調査会発行「エレクトロニクス実装技術２００２年臨時増刊号」の７４頁に「ステピナライト」の商品名で記載されている。
【非特許文献１】技術調査会発行「エレクトロニクス実装技術２００２年臨時増刊号」（７４頁）
【発明の開示】
【発明が解決しようとする課題】
【００１１】
図５に示す回転表示灯Ｂは従来の回転表示灯の１例ではあるが、従来の回転表示灯は、概ねこのような構造のものであり、基本的に、モータ回転軸が光反射部材を支持した回転部材の回転中心軸線から外側へずれた位置をとり、また、モータ回転を光反射部材へ伝達する伝動機構が複雑で嵩張るものであった。そのため全体が大型化し、コスト高についていた。
【００１２】
全体の小型化を意図してモータ回転軸の配置を光反射部材とこれを支持する回転部材の回転中心軸線に一致させるために、例えば、図６に示すような遊星歯車機構を採用することも考えられる。図６に示す歯車機構９は、回転中心を光反射部材及びそれを支持する回転部材の回転中心軸線に一致させて配置可能の太陽歯車９１の周囲に遊星歯車９２を複数配置し、該遊星歯車群をキャリア部材９３に支持させ、該遊星歯車群に外側からリングギア９４をかみ合わせ、キャリア部材９３を静止部材とし、太陽歯車９１をモータで回転させ、リングギア９４で光反射部材を搭載した回転部材を回転させることができる。
【００１３】
しかしこのような遊星歯車機構９を利用しても、その機構のために部品点数が多くなり、それだけ高価につくうえ、太陽歯車９１等の配置を光源部の配置の邪魔にならないように工夫しなければならない、といった新たな問題が生じる。
【００１４】
そこで本発明は、周囲各方面に順次光を放射する回転表示灯であって、従来の同種の回転表示灯と比べると小型にコンパクトに安価に製作できる回転表示灯を提供することを課題とする。
【課題を解決するための手段】
【００１５】
前記課題を解決するため本発明は、
上面側に発光ダイオードが配置され、中央部に上下方向の貫通孔が形成された発光ダイオード基板と、
該基板の発光ダイオードの上方に配置され、該基板の前記貫通孔に対応する部位に回転中心部を有する透明回転板と、
モータ回転軸が前記基板の前記貫通孔に対応する位置をとるようにモータ本体が前記基板の下方に配置され、該モータ回転軸が前記透明回転板の回転中心部に接続されたモータと、
前記透明回転板に支持され、前記発光ダイオードから該透明回転板を上方へ通過してくる光を横方向へ反射する光反射部材とを備えており、
前記互いに接続された前記透明回転板の回転中心部及び前記モータ回転軸からなる部分は前記基板の前記貫通孔を該基板に対し回転可能に通っており、前記モータは前記発光ダイオード基板が静止している状態で前記透明回転板を前記光反射部材とともに回転駆動できる回転表示灯を提供する。
【００１６】
本発明に係る回転表示灯によると、発光ダイオードを点灯、点滅灯させ、モータにて透明回転板を回転させることで光反射部材を回転させ、該発光ダイオードから該透明回転板を上方へ通過してくる光を横方向へ反射させることで、周囲各方面へ順次光を放射できる。
【００１７】
本発明に係る回転表示灯では、モータ回転軸が透明回転板の回転中心軸線に一致させて、従って該透明回転板に搭載された光反射部材の回転中心軸線に一致させて配置されており、さらに、モータの回転力が歯車伝動機構等の複雑高価につく伝動機構を介することなく直接的にモータ回転軸から透明回転板の回転中心部に伝達される、部品点数の少ない構成をとっている。
さらに、発光ダイオードは今日では市場で安価に入手でき、また、小さいものも入手可能である。
【００１８】
これらにより、本発明に係る回転表示灯は全体を小型に、コンパクトに安価に製作できる。また、小型化、コンパクト化が可能であるから、それだけ用途も多様化される。
また、発光ダイオードは緑色、赤色等の異なる発光色の発光ダイオードも入手可能であるから、そのような異なる発光色の発光ダイオードを採用して豊富な光表示を行うことも可能である。
【００１９】
前記モータとしては、そのモータ回転軸が直接的に透明回転板の回転中心部に接続されるので、光反射部材の回転数を考慮して、ステッピングモータ或いは変速機付きモータ（所謂ギアドモータ）を採用してもよい。
【００２０】
本発明に係る回転表示灯は、発光ダイオードが予め決められた一定パターンで動作するもの（例えば全発光ダイオードが一斉に点灯又は消灯するもので）あってもよく、また、モータが、従って光反射部材が予め決められた一定パターンで動作するもの（例えば一定回転速度で同方向に回転するもの）であってもよい。
【００２１】
しかし、本発明に係る回転表示灯は、発光ダイオード制御信号が入力される発光ダイオード制御部及び前記発光ダイオードの駆動回路を含んでいてもよい。そして、該発光ダイオード制御部は、前記発光ダイオードが該制御部に入力される発光ダイオード制御信号に基づいた動作状態を示すように前記発光ダイオード駆動回路を制御するものであってもよい。
この場合、該発光ダイオード動作状態から前記発光ダイオード制御信号発信元の状態を把握することも可能である。
【００２２】
また、本発明に係る回転表示灯は、モータ制御信号が入力されるモータ制御部及び前記モータの駆動回路を含んでいてもよい。そして、該モータ制御部は、前記光反射部材が該モータ制御信号に基づいた回転動作状態を示すように前記モータ駆動回路を制御するものであってもよい。
この場合、該光反射部材の回転動作状態から前記モータ制御信号発信元の状態を把握することも可能である。
【００２３】
いずれにしても、かかる制御信号発信元としては、代表例としてその動作状態等の状態を把握しようとする状態把握対象であり、それは機器類、乗物、工場等における交通整理システム、駐車場における交通整理システム等、何であってもよい。
【００２４】
なお、本発明に係る回転表示灯の構成において、上記「前記互いに接続された前記透明回転板の回転中心部及び前記モータ回転軸からなる部分」の態様としては、例えば、
(1) 透明回転板の回転中心部が前記基板の貫通孔の方へ延びる軸部に形成されていて、該軸部が基板貫通孔を貫通して基板下方へ突出し、その軸部にモータ回転軸が接続されている態様、
(2) モータ回転軸が基板貫通孔を通過して基板上方へ突出して透明回転板の回転中心部( 軸部形態のものでもよい）に接続されている態様、
(3) 透明回転板の回転中心部が前記基板の貫通孔の方へ延びる軸部に形成されていて、該軸部が基板貫通孔まで延びる一方、モータ回転軸も基板貫通孔まで延びていて、それら両者が基板貫通孔或いはその近傍で接続されている態様
等、様々の態様をとることができる。
【００２５】
また、「前記互いに接続された前記透明回転板の回転中心部及び前記モータ回転軸からなる部分」は、その態様がいずれのものであれ、基板貫通孔に装着された軸受け部を介して基板に対し回転可能に嵌まっていてもよい。
【発明の効果】
【００２６】
以上説明したように本発明によると、周囲各方面に順次光を放射する回転表示灯であって、従来の同種の回転表示灯と比べると小型にコンパクトに安価に製作できる回転表示灯を提供することができる。
【発明を実施するための最良の形態】
【００２７】
以下本発明の実施形態を図面を参照して説明する。
図１は本発明に係る回転表示灯の１例の構成を、一部を断面で示す正面図であり、図２は図１の回転表示灯の一部の平面図である。
【００２８】
図１、図２の回転表示灯Ａは発光ダイオード基板１を備えている。基板１は円形基板であり、中央に上下方向の貫通孔１２を形成してある。基板１の上面側には複数の（本例では６個）の発光ダイオード１１が等中心角度間隔で孔１２の周囲に環状に配列され、基板１に支持されている。これら発光ダイオードのそれぞれは基板１に搭載された発光ダイオード駆動回路Ｃ１により、連続点灯、点滅、消灯等の動作をする。
【００２９】
発光ダイオード１１の直ぐ上方には、透明回転板２が配置されている。透明回転板２は本例では合成樹脂製の透明な円形板であり、その中心部の下面から下方へ向け軸部２１が一体的に突設されている。軸部２１は基板１の貫通孔１２に対応させて設けてあり、貫通孔１２へ向かって延びている。軸部２１は透明回転板の回転中心部として使用される。
【００３０】
基板１の下方にはモータ３が配置されている。このモータ３は変速機付きモータでもよいが、本例ではステッピングモータである。モータ３はその本体３１の上部に固定された支持板３３を備えており、該支持板３３が回転表示灯Ａのケース５内の棚部５１に螺子Ｓで固定されている。回転表示灯Ａ全体としてみると、モータ３は横断面円形のケース５内の中央部に配置、固定されている。また、モータ回転軸３２は基板１の貫通孔１２に対応する位置にある。
【００３１】
モータ回転軸３２はモータ支持板３３の中央孔３３１及び前記基板１の貫通孔１２に遊嵌、貫通して基板１の上側まで突出しており、前記透明回転板２の軸部２１に直接接続されている。
このモータ３はケース５に内蔵されたモータ駆動回路Ｃ２により高速回転、低速回転、正転、逆転、停止が可能である。
【００３２】
また、ケース５には前記の発光ダイオード駆動回路Ｃ１及びモータ駆動回路Ｃ２を制御する制御部Ｃｏｎｔが内蔵されている。この制御部Ｃｏｎｔには、動作状態等の状態をこの回転表示灯Ａにより表示させて把握しようとする状態把握対象( 機器等) から送信されてくる発光ダイオード制御信号やモータ制御信号を入力することができる。
なお、前記発光ダイオード駆動回路Ｃ１、モータ駆動回路Ｃ２及び制御部Ｃｏｎｔのうち１又は２以上がケース５外に設けられていてもよい。
【００３３】
透明回転板２の周縁部の一部に内面を鏡面とした光反射板４が立設されており、透明回転板２の上方へやや覆い被さるように位置している。
【００３４】
光反射部材４、透明回転板２等にはドーム型の透光性の合成樹脂製カバー６（透明又は透明ではないが光を通す合成樹脂製のカバー）が被せられている。カバー６はその下端周縁部がケース５の上端周縁部に（螺子の図示は省略しているが）螺合されている。
【００３５】
回転表示灯Ａによると、制御部Ｃｏｎｔがそれに入力される発光ダイオード制御信号に基づいて発光ダイオード駆動回路Ｃ１を制御することで、発光ダイオード１１が該発光ダイオード制御信号に応じて点灯、点滅等することができる。
また、制御部Ｃｏｎｔがそれに入力されるモータ制御信号に基づいてモータ駆動回路Ｃ２を制御することで、モータ３が、従って光反射部材４が該モータ制御信号に応じた回転動作をすることができる。
【００３６】
このようにして発光ダイオード１１を点灯、点滅等させ、モータ３にて透明回転板２を回転させることで光反射部材４を回転させ、発光ダイオード１１から透明回転板２を上方へ通過してくる光を横方向へ反射させることで、周囲各方面へ順次光を放射できる。
【００３７】
また、発光ダイオード１１の動作状態及び（又は）光反射部材４の回転動作状態から発光ダイオード制御信号やモータ制御信号の発信元（機器等）の動作状態等の状態を把握することも可能である。
【００３８】
回転表示灯Ａでは、モータ回転軸３２が透明回転板２の回転中心軸線に一致させて、従って該透明回転板に搭載された光反射部材４の回転中心軸線に一致させて配置されており、さらに、モータ３の回転力が歯車伝動機構等の複雑高価につく伝動機構を介することなく直接的にモータ回転軸３２から透明回転板２の軸部２１に伝達されるようになっており、部品点数の少ないコンパクトな構成となっている。
さらに、発光ダイオード１１は今日では市場で安価に入手でき、また、小さいものも入手可能である。
【００３９】
これらにより、回転表示灯Ａは全体的に小型に、コンパクトに安価に製作できる。また、小型に、コンパクトに形成できるので、それだけ用途も多様化される。
また、発光ダイオード１１としては、緑色、赤色等の異なる発光色の発光ダイオードも入手可能であるから、そのような異なる発光色の発光ダイオードを採用して豊富な光表示を行うことも可能である。
【００４０】
次に、回転表示灯Ａにより動作状態等の状態を把握しようとする状態把握対象がパチンコ機或いはパチスロ機といった遊技機（図示省略）であり、回転表示灯Ａの発光ダイオード１１として、図３に例示するように、三つの赤色発光ダイオードＲ１１、三つの黄色発光ダイオードＹ１１及び三つの青色発光ダイオードＢ１１を順次交互に備えている場合について図４の制御回路例を参照して説明する。
【００４１】
なお、制御部Ｃｏｎｔ、発光ダイオード及びその駆動回路Ｃ１、モータ駆動回路Ｃ２はそれぞれ図示省略の電源部から必要な電力の供給受ける。
図４に示す回路例においては、回転表示灯Ａの制御部Ｃｏｎｔは次の制御信号入力端子を備えている。
【００４２】
(1) 遊技機において不正行為があった場合に不正信号を入力させて赤色発光ダイオードＲ１１を点灯させるための端子ＣＮ１、
(2) 遊技機において所謂確率変動状態が発生した場合に確変信号を入力させて黄色発光ダイオードＹ１１を点灯させるための端子ＣＮ２、
(3) 遊技機において大当たりが発生した場合に大当たり信号を入力させて青色発光ダイオードＢ１１を点灯させるための端子ＣＮ３、
(4) 遊技機において不正行為があった場合又は大当たりが発生した場合に不正信号又は大当たり信号を入力させてモータ３を、従って光反射部材４を高速回転させるための端子ＣＮ４、
(5) 遊技機において所謂確率変動状態が発生した場合に確変信号を入力させてモータ３を、従って光反射部材４を繰り返し正転逆転させるための端子ＣＮ５、
(6) 遊技機において不正、確率変動、大当たり等が発生していない平常状態であるときに平常信号を入力させて全発光ダイオードを点灯させ、モータ３を、従って光反射部材４を低速で正転させるための端子ＣＮ６。
【００４３】
この場合、遊技機から発せられる不正信号、確変信号、大当たり信号及び平常信号は発光ダイオード制御信号及びモータ制御信号として用いられる。
【００４４】
図４に示す回路を備えた回転表示灯Ａによると、遊技機が平常状態であれば、全発光ダイオードが点灯し、モータ３、従って光反射部材４は低速で正転する。
遊技機において不正行為があると、赤色発光ダイオードＲ１１のみ点灯し、光反射部材４が高速正転する。
遊技機において確率変動状態が発生すると、黄色発光ダイオードＹ１１のみが点灯し、光反射部材４が正転逆転を交互に繰り返す。
遊技機において大当たりが発生すると、青色発光ダイオードＢ１１のみが点灯し、光反射部材４が高速正転する。
かくして、回転表示灯Ａの表示状態から遊技機の状態を知ることができる。
【００４５】
以上説明した回転表示灯Ａでは、透明回転板２の軸部２１は基板貫通孔１２まで達していないが、達していてもよく、さらには基板貫通孔１２より下側まで突出していてもよい。その場合、モータ回転軸３２の長さは、そのような軸部２１の長さに応じたものとすればよい。
【００４６】
また、互いに接続された透明回転板２の軸部２１とモータ回転軸３２とからなる回転部分は、基板貫通孔１２に装着された図示省略の軸受け部を介して基板１に対し回転可能に嵌まっていてもよい。
【産業上の利用可能性】
【００４７】
本発明に係る回転表示灯は、各種分野において様々の目的（情報の報知、警告灯）で光表示を行うことに利用できる。
【図面の簡単な説明】
【００４８】
【図１】本発明に係る回転表示灯の、一部を断面で示す正面図である。
【図２】図１に示す回転表示灯の一部の平面図である。
【図３】発光ダイオード配列の他の例を示す図である。
【図４】回転表示灯の制御回路例を示す図である。
【図５】従来例の、一部を断面で示す正面図である。
【図６】遊星歯車機構例を示す図である。
【符号の説明】
【００４９】
Ａ  回転表示灯
１  発光ダイオード基板
１１  発光ダイオード
Ｒ１１  赤色発光ダイオード
Ｙ１１  黄色発光ダイオード
Ｂ１１  青色発光ダイオード
Ｃ１    発光ダイオード駆動回路
１２  基板の貫通孔
２  透明回転板
２１  回転板２の軸部（回転中心部の例）
３  モータ
３１  モータ本体
３２  モータ回転軸
３３  モータの支持板
３３１  支持板３３の中央孔
Ｃ２    モータ駆動回路
４  光反射部材
５  ケース
５１  棚部
Ｓ  ネジ
６  カバー
Ｃｏｎｔ  制御部
ＣＮ１〜ＣＮ６  制御部Ｃｏｎｔの制御信号入力端子
【図１】
2008107475.tif 000003
【図２】
2008107475.tif 000004
【図３】
2008107475.tif 000005
【図４】
2008107475.tif 000006
【図５】
2008107475.tif 000007
【図６】
2008107475.tif 000008
【手続補正書】
【提出日】平成19年1月9日(2007.1.9)
【手続補正１】
【補正対象書類名】特許請求の範囲
【補正対象項目名】請求項４
【補正方法】変更
【補正の内容】
【請求項４】
前記モータはステッピングモータである請求項１、２又は３記載の回転表示灯。
【手続補正２】
【補正対象書類名】明細書
【補正対象項目名】００１６
【補正方法】変更
【補正の内容】
【００１６】
本発明に係る回転表示灯によると、発光ダイオードを点灯、点滅等させ、モータにて透明回転板を回転させることで光反射部材を回転させ、該発光ダイオードから該透明回転板を上方へ通過してくる光を横方向へ反射させることで、周囲各方面へ順次光を放射できる。
【手続補正３】
【補正対象書類名】図面
【補正対象項目名】図４
【補正方法】変更
【補正の内容】
【図４】
2008107475.tif 000009